(57)【特許請求の範囲】
【請求項１】
基礎壁面上に表側壁板を取付ける際に用いられる壁板取付部材であって、前記基礎壁面に接着剤により接着される土台部材と、この土台部材にレベル調整可能に取付けられ且つ前記表側壁板が取付けられるレベル調整材を備えた壁板取付部材において、
前記土台部材は、前記基礎壁面への取付面を有する略板状の基台部と、この基台部から前記取付面とは反対の側に突き出し、前記レベル調整材が装着される枠部とを備え、
前記基台部は、前記枠部よりも内側の領域で、前記基礎壁面とは反対の側に膨らむようにして前記取付面に凹み部が形成されており、
この凹み部にその底面から前記基礎壁面に向かって突出する突起が設けられていることを特徴とする壁板取付部材。
【請求項２】
前記レベル調整材は、前記土台部材の前記枠部の内側に装着されるものであり、
該レベル調整材は基礎壁面側に窪み部を備え、前記凹み部に対応した膨らみ部分が前記窪み部よりも内側の領域に位置している請求項１に記載の壁板取付部材。
【請求項３】
前記突起の高さが前記凹み部の深さとほぼ同等である請求項１または２に記載の壁板取付部材。
【請求項４】
前記凹み部の深さが、前記基台部の厚みよりも深い請求項１〜３のいずれかに記載の壁板取付部材。
【請求項５】
前記突起が複数である請求項１〜４のいずれかに記載の壁板取付部材。
【請求項６】
基礎壁面上に表側壁板を取付ける際に用いられる壁板取付部材であって、前記基礎壁面に接着剤により接着される土台部材と、この土台部材にレベル調整可能に取付けられ且つ前記表側壁板が取付けられるレベル調整材を備えた壁板取付部材において、
前記土台部材は、前記基礎壁面への取付面を有する基台部と、この基台部から前記取付面とは反対の側に突き出し、前記レベル調整材が装着される枠部とを備え、
前記基台部は、前記枠部よりも内側の領域で、前記基礎壁面とは反対の側に膨らむようにして前記取付面に形成された凹み部を有し、この凹み部に貫通孔が設けられていることを特徴とする壁板取付部材。
【請求項７】
前記レベル調整材は、前記土台部材の前記枠部の内側に装着されるものであり、
該レベル調整材は基礎壁面側に窪み部を備え、
前記土台部材の前記基台部における前記反対の側の面には、前記貫通孔を取り囲む堰が形成され、
これら貫通孔及び堰が、前記窪み部よりも内側の領域に形成されたものである請求項６に記載の壁板取付部材。
【請求項８】
前記貫通孔が複数である請求項６または７に記載の壁板取付部材。
【請求項９】
少なくとも前記土台部材が、再生樹脂を含有するものである請求項１〜８のいずれかに記載の壁板取付部材。
【請求項１０】
請求項６〜８のいずれかに記載の壁板取付部材を、前記基礎壁面上に固定する方法であって、
前記基台部の取付面における少なくとも前記貫通孔付近に接着剤を塗布する工程と、
この基台部の取付面を基礎壁面上に押し付けて前記接着剤を前記貫通孔から前記基礎壁面と反対の側に溢れさせる工程と、
前記接着剤を硬化させる工程と
を備えたことを特徴とする壁板取付部材の固定方法。
【発明の詳細な説明】
【０００１】
【発明の属する技術分野】
本発明は、高層建築や一般住宅等に使用される化粧壁板や装飾壁板等の表側壁板を、基礎壁面上に取付ける際に用いる壁板取付部材に関するものである。
【０００２】
【従来の技術】
基礎壁面上に表側壁板を取り付けるにあたっては、基礎壁面と表側壁板の間に壁板取付部材を介在させて取り付けるが、この際上記壁板取付部材によりレベル調整を行い、仮に上記基礎壁面に高低差（不陸）があっても表側壁板面が均一平面になるようにしている。尚上記「レベル調整」とは、上記基礎壁面と上記表側壁板との間隔の調整を言う。
【０００３】
図１５は従来の壁板取付部材６０を示す斜視図であり、（ａ）は上方側からの斜視図（土台部材６１からレベル調整材６４が離れた状態）で、（ｂ）は裏面側からの斜視図である。
【０００４】
土台部材６１は基台部６２と枠部６３からなり、この基台部６２における基礎壁面への取付面６２ａには高さ０．２〜０．３mm程度の凹凸が形成されている。上記枠部６３は円筒状をしており、上記基台部６２から上記取付面６２ａとは反対側に向かって突き出している。また上記枠部６３の内周面には雌ネジ６３ａが形成されている。
【０００５】
レベル調整材６４は円柱状をしており、その外周面には上記雌ネジ６３ａと適合する雄ネジ６４ａが形成されている。またレベル調整材６４の頭頂部６５には、ドライバーによる操作が可能なように回動用の溝６５ａが形成されている。
【０００６】
この壁板取付部材６０を用いて基礎壁面７１上に表側壁板７２を取付けるにあたっては、図１６［従来の壁板取付部材を適用して基礎壁面に表側壁板を取付けた様子を表す断面図］に示す様に、まず上記土台部材６１の取付面６２ａに接着剤を塗布してこれを基礎壁面７１に接着し、この土台部材６１の枠部６１に上記レベル調整材６４を螺合しつつレベル調整を行い、その後、表側壁板７２をレベル調整材６４の頭頂部６５に当接しつつ、釘７３を打ち付けることにより表側壁板７２を壁板取付部材６０に固定する。
【０００７】
【発明が解決しようとする課題】
上記壁板取付部材の素材としては、成形性が良好である等といった観点から合成樹脂が一般に使われており、一方基礎壁はコンクリートであることが多い。尚上記壁板取付部材のレベル調整材には釘打ち可能な様に比較的軟質の合成樹脂素材が用いられている。
【０００８】
この様に壁板取付部材は基礎壁面とは異質の素材であるから、壁板取付部材の土台部材をこの基礎壁面に取付ける際に用いる接着剤としては、土台部材の素材と基礎壁の素材のいずれにも親和性の良好なものを選択する必要がある。しかし合成樹脂とコンクリート材のいずれにも親和性の良好な接着剤（以下、両親和性接着剤と称することがある）は稀であり、またこの両親和性接着剤を用いて接着する上記土台部材の合成樹脂素材としても、特定のもの（例えばアクリルニトリル−ブタジエン−スチレン共重合体（ＡＢＳ））を使用する必要がある。
【０００９】
ところが上記ＡＢＳ等の合成樹脂は高価であり、よって比較的安価な樹脂素材（例えばポリプロピレン）により土台部材を形成することが望まれているものの、ポリプロピレン等の様な安価な樹脂とコンクリート材のいずれにも優れた親和性を示す接着剤はなく、例えば上記両親和性接着剤にあってはコンクリートに対して良好な親和性を示しても、ポリプロピレン製土台部材に対して親和性にやや劣る傾向にある。この為に壁板取付部材に強い力が加わると、ポリプロピレン製土台部材の取付面と接着剤との境界面で剥がれるといった懸念がある。
【００１０】
加えて昨今、材料の再利用の要請から、再生樹脂（例えば、フィルムや成形品等として一旦使用され、その後廃棄物として回収されたり、成形品等の製造過程でのオフ品などから回収された樹脂）を用いて上記壁板取付部材を成形することが望まれているが、新しく合成された樹脂により製造された壁板取付部材に比べて再生樹脂製のものは接着剤による接着強度に劣り、従って基礎壁面から壁板取付部材が脱落するという問題が懸念される。
【００１１】
そこで土台部材の取付面を大きくして広範囲で接着剤による取り付けを行うことも考えられるが、単に取付面を大きくしただけでは接着強度の向上があまり図れない上、大きな土台部材を基礎壁面に取り付けるとすれば、適切なレベル調整を行うことが困難となり、基礎壁面の不陸が表側壁板表面に現れるといった事態も生じる。従って土台部材としてはなるべく小さい方が好ましい。
【００１２】
本発明は上記の様な観点からなされたものであり、基礎壁面に対して壁板取付部材の土台部材を強力に取り付けることのできる壁板取付部材を提供することを目的とする。
【００１３】
【課題を解決するための手段】
本第１の発明に係る壁板取付部材は、基礎壁面上に表側壁板を取付ける際に用いられる壁板取付部材であって、前記基礎壁面に接着剤により接着される土台部材と、この土台部材にレベル調整可能に取付けられ且つ前記表側壁板が取付けられるレベル調整材とを備えた壁板取付部材であり、前記土台部材が、前記基礎壁面への取付面を有する略板状の基台部と、この基台部から前記取付面とは反対の側（以下、反基礎壁面側と称することがある）に突き出し、前記レベル調整材が装着される枠部とを備え、前記基台部が、前記枠部よりも内側の領域で、前記基礎壁面とは反対の側（反基礎壁面側）に膨らむようにして前記取付面に凹み部が形成されており、この凹み部にその底面から前記基礎壁面に向かって突出する突起が設けられていることを要旨とする。
【００１４】
この様に凹み部を設けてこの凹み部に突起を設けたものにあっては、最大で凹み部の凹み深さの分の高さの突起とすることができ、この様に高く突出した突起によれば、基台部（土台部材）の取付面に塗布された接着剤に埋入して優れたアンカー効果を発揮し、土台部材を基礎壁面にしっかりと接着することができる。
【００１５】
しかも上記基台部の上記凹み部はこれに対応して反基礎壁面側に膨らむようにして形成されたものであるから、凹む部が十分な深さを有しているにもかかわらず、基台部の肉厚を厚くする必要がない。従って土台部材が重くならず、また樹脂量も多くならないからコスト高にならない。
【００１６】
また仮に枠部の外側の領域に凹み部を設けるとすると、基台部が枠部よりもかなり大きなものとなり、土台部材全体が大きくなってしまう。しかし上述の様に枠部の内側領域に前記凹み部を形成したものであれば、基台部をさほど大きなものにする必要がなく、土台部材全体を比較的小さいものにできる。従って土台部材が大きい場合に生じるレベル調整不良の問題を防ぐことができる。
【００１７】
加えて本第１の発明において、前記レベル調整材が前記土台部材の前記枠部の内側に装着されるものであり、該レベル調整材が基礎壁面側に窪み部を備え、前記凹み部に対応した膨らみ部分が前記窪み部よりも内側の領域に位置していることが好ましい。
【００１８】
上記枠部の内側に上記レベル調整材が装着されるものの場合には、上記窪み部が設けられていないと、レベル調整材のレベル位置によっては、枠部内側領域に形成された上記凹み部に対応する膨らみ部分に上記レベル調整材が当接して適切にレベル調整を行えないということが起こり得るが、上記の如くレベル調整材がその基礎壁面側に窪み部を備え、この窪み部よりも内側の領域に前記膨らみ部分が位置したものの場合は、この膨らみ部分がレベル調整材に当接しないから、レベル調整を妨げない。
【００１９】
更に本第１の発明において、前記突起の高さが前記凹み部の深さとほぼ同等であることが好ましい。上述のアンカー効果を発揮させる為には、突起の高さを極力高くするのが望ましく、上記の如く突起の高さを凹み部の深さとほぼ同等としたものが、最も高いものとなるからである。
【００２０】
また本第１の発明において、前記凹み部の深さが前記基台部の厚みよりも深いことが好ましい。この様に凹み部が深いものであれば、突起の高さとしても十分に高いものにでき、よって上述のアンカー効果が良好に発揮され、土台部材を基礎壁面に良好に接着することができるからである。
【００２１】
更に本第１の発明において、前記突起が複数であることが好ましい。これにより一層アンカー効果が向上するからである。
【００２２】
本第２の発明に係る壁板取付部材は、基礎壁面上に表側壁板を取付ける際に用いられる壁板取付部材であって、前記基礎壁面に接着剤により接着される土台部材と、この土台部材にレベル調整可能に取付けられ且つ前記表側壁板が取付けられるレベル調整材を備えた壁板取付部材であり、前記土台部材が、前記基礎壁面への取付面を有する基台部と、この基台部から前記取付面とは反対の側（反基礎壁面側）に突き出し、前記レベル調整材が装着される枠部とを備え、前記基台部が、前記枠部よりも内側の領域で、前記基礎壁面とは反対の側（反基礎壁面側）に膨らむようにして前記取付面に形成された凹み部を有し、この凹み部に貫通孔が設けられていることを要旨とする。
【００２３】
上記基礎壁面に上記土台部材を接着する際、一般に土台部材の取付面に接着剤を塗布してこれを基礎壁面に押し付ける様にして接着操作が行われるが（或いは基礎壁面に接着剤を塗布しておきこれに土台部材を押し付ける場合もある）、このとき先ず上記取付面の凹み部に接着剤が集まり、続いて該凹み部に形成された貫通孔から接着剤が反基礎壁面側に溢れることとなる。そしてこの貫通孔から溢れた接着剤は、硬化することにより貫通孔周縁部分への引っかかり部となり、またこの硬化した接着剤はアンカー効果も発揮して土台部材をしっかりと捕まえ、基礎壁面に土台部材を強固に固定する。
【００２４】
しかも上記貫通孔は上記枠部の内側領域に形成されているから、貫通孔の形成の為に基台部を大きくするという必要がなく、土台部材全体を比較的小さいものにできる。従って土台部材が大きい場合に生じるレベル調整不良の問題を防ぐことができる。
【００２５】
更に本第２の発明においては、前記レベル調整材が前記土台部材の前記枠部の内側に装着されるものであり、該レベル調整材が基礎壁面側に窪み部を備え、前記土台部材の前記基台部における前記反対の側の面には、前記貫通孔を取り囲む堰が形成され、これら貫通孔及び堰が、前記窪み部よりも内側の領域に形成されたものであることが好ましい。
【００２６】
仮に上記枠部の内側に上記レベル調整材が装着されるタイプであり、且つ上記窪み部や上記堰が設けられていない壁板取付部材では、予め土台部材を基礎壁面上に接着した後、レベル調整材をこの土台部に取り付けるという施工方法を実施する場合において、レベル調整材のレベル位置によっては、上記貫通孔から溢れ出た接着剤（硬化したもの）がレベル調整材と接触し、レベル調整を妨げることも起こり得る。しかし上記の如くレベル調整材に窪み部を設け、この窪み部よりも内側領域に貫通孔及び堰を設けたものにあっては、貫通孔から溢れ出た接着剤は堰によって止められるから、それ以上には広がらず、そしてこの堰及び溢れ出た接着剤は上記窪み部の内側に位置することになるから、レベル調整を妨げることがない。このため、適切なレベルに調整することができる。また、上記枠部の内側に上記レベル調整材が装着されるタイプであり、且つ上記窪み部や上記堰が設けられていない壁板取付部材では、レベル調整材を土台部材に取り付けた後、この土台部材を基礎壁面に接着するという施工方法を実施する場合において、レベル調整材のレベル位置によっては、枠部内側領域に形成された上記凹み部の貫通孔に上記レベル調整材が当接し、該貫通孔に蓋をするということが起こり得る。しかしながら、本構成のように、レベル調整材における基礎壁面側に窪み部を設け、この窪み部よりも内側の領域に前記凹み部に対応した膨らみ部分を形成したものの場合は、上記窪み部によって上記貫通孔上に空間が形成され、貫通孔が蓋されるということがない。従って上記貫通孔からの接着剤の溢出が妨げられることがない。
【００２７】
また本第２の発明において、前記貫通孔が複数であることが好ましく、この様に複数であれば、基礎壁面への土台部材の固定が一層強固なものになるからである。
【００２８】
加えて本第１，２の発明において、少なくとも前記土台部材が再生樹脂を含有するものであっても良い。
【００２９】
前述の様に土台部材が再生樹脂を含有する原料により形成されたものの場合は、接着剤による接着強度が芳しくない傾向にあるが、本発明の壁板取付部材であれば、上述の如く土台部材は基礎壁面にしっかりと接着されるから、再生樹脂を含有する土台部材であっても、土台部材が基礎壁面から脱落する懸念が殆どない。従って再生樹脂の利用の促進を図ることができる。
【００３０】
また本第３の発明に係る壁板取付部材の固定方法は、本第２の発明に係る壁板取付部材を前記基礎壁面上に固定する方法であって、前記基台部の取付面における少なくとも前記貫通孔付近に接着剤を塗布する工程と、この基台部の取付面を基礎壁面上に押し付けて前記接着剤を前記貫通孔から前記基礎壁面と反対の側に溢れさせる工程と、前記接着剤を硬化させる工程とを備えたことを要旨とする。
【００３１】
尚上記「硬化」とは、接着剤に含まれる溶媒が蒸発して硬化する場合の他、化学反応を伴って樹脂が３次元化して硬化する場合等も含まれる意味である。
【００３２】
【発明の実施の形態】
＜実施形態１＞
図１は本発明の実施形態１に係る壁板取付部材４０を示す上方からの斜視図である。尚レベル調整材１４を土台部材４１から離して描いている。また図２は上記壁板取付部材４０をその土台部材４１の裏面から見た図であり、図３は図１，２に示すＢ−Ｂ線断面図である。
【００３３】
壁板取付部材４０は再生ポリプロピレン樹脂製であって、土台部材４１と、この土台部材４１に取付可能なレベル調整材１４とからなり、上記土台部材４１は基台部４２と枠部１３から構成されている。
【００３４】
上記基台部４２は、その取付面（基礎壁面への取付面）４２ａの中央部分に凹み部４６を有する円盤状をしており、この凹み部４６に対応して反基礎壁面側に膨らんでいる（膨らみ部分４８）。また上記凹み部４６には複数の突起４７が設けられている。凹み部４６の深さ（Ｓ）は上記基台部４２の厚み（１mm）の２倍（２mm）となっており、上記突起部４７はこの凹み部４６の深さと同等の高さ（２mm）となっている。取付面４２ａにおける凹み部４６以外の平面部分１９には、接着剤との接着性を良くする為に細かな凹凸（高低差０．２〜０．３mm）が形成されている。基台部４２の外周縁近傍には取付孔１８が形成されており、基礎壁の材質によっては釘打ちによる固定も可能な様になっている。
【００３５】
上記枠部１３は円筒状をしており、上記取付孔１８よりも内側の位置で且つ膨らみ部分４８よりも外側の位置において、上記取付面４２ａとは反対の側（反基礎壁面側）に突き出している。即ち枠部１３よりも内側の領域に上記膨らみ部分４８が位置する。また上記枠部１３の内周面に雌ネジ１３ａが形成されている。
【００３６】
上記レベル調整材１４は外形が円柱状をしており、基礎壁面側に窪み部２５が形成されている。尚この窪み部２５よりも内側の領域に上記膨らみ部分４８が位置する。そしてレベル調整材１４の外周面には上記雌ネジ１３ａに螺合できる雄ネジ１４ａが形成されている。またレベル調整材１４の頭頂部１５には、ドライバーによる操作が可能なように回動用の溝４５ａが形成されている。
【００３７】
次に本実施形態１の壁板取付部材４０を用いて、基礎壁面上に表側壁板を取付ける方法について述べる。
【００３８】
図４は上記壁板取付部材４０を介在させて基礎壁面７１上に表側壁板７２を取付けた状態を表す断面図である。尚図１〜３，１６と同じ構成部分については同一の符号を付して重複説明を避ける。
【００３９】
先ず土台部材４１の取付面４２ａに接着剤を多めに塗布し、この土台部材４１を基礎壁面７１上に押し付ける。このとき上記接着剤３０は上記凹み部４６の突起４７間に充満して突起４７が接着剤を捕まえる様になる。尚、予め上記凹み部４６の部分に接着剤を多めに塗布しておくのが良い。
【００４０】
次いで、上記接着剤が硬化することにより上記基礎壁面７１上に固定された上記土台部材４１に対して、レベル調整材１４を取り付ける。このときレベル調整材１４を土台部材４１に螺合する深さを加減することによりレベル調整を行う。尚レベル調整位置によっては、レベル調整材１４を土台部材４１の枠部１３内深く取り付ける場合もあるが、この場合においては、上記凹み部４６に対応した膨らみ部分４８は窪み部２５内に収まるから、レベル調整材１４に当接してレベル調整を阻害するということがない。
【００４１】
尚予め土台部材４１にレベル調整材１４を取付けた状態で、これらを基礎壁面７１に接着しても良い。
【００４２】
その後従来と同様に、表側壁板７２をレベル調整材１４の頭頂部１５に当接しつつ、釘７３を打ち付けることにより表側壁板７２を壁板取付部材４０に取付ける。
【００４３】
上記壁板取付部材４０はその素材が再生ポリプロピレンであり、接着剤との親和性に比較的劣るものであるが、上記の如く突起４７が接着剤３０に対してアンカー効果を発揮するから、土台部材４１が基礎壁面７１にしっかりと固定され、容易に外れることがない。従って上記壁板取付部材４０を介して上記基礎壁面７１上に表側壁板７２を良好に取り付けることができる。
【００４４】
＜実施形態２＞
図５は本発明の実施形態１に係る壁板取付部材５０を示す上方からの斜視図である。尚レベル調整材１４を土台部材５１から離して描いている。また図６は上記壁板取付部材５０をその土台部材５１の裏面から見た図であり、図７は図５，６に示すＣ−Ｃ線断面図である。図８は上記壁板取付部材５０を介在させて基礎壁面７１上に表側壁板７２を取付けた状態を表す断面図である。尚図１〜４，１６と同じ構成部分については同一の符号を付して重複説明を避ける。
【００４５】
この壁板取付部材５０も再生ポリプロピレン樹脂製であって、土台部材５１と、この土台部材５１に取付可能なレベル調整材１４とからなり、上記土台部材５１は基台部５２と枠部１３から構成されている。
【００４６】
上記基台部５２は円盤状をしており、その取付面（基礎壁面への取付面）５２ａの中央部分に貫通孔５７が複数設けられている。また上述の様に基台部５２の反基礎壁面側に、上記貫通孔５７を取り囲むようにして堰５６が形成されている。そしてこれら貫通孔５７及び堰５６は、上記レベル調整材１４の窪み部２５よりも内側の領域に位置している。
【００４７】
次に本実施形態２の壁板取付部材５０を用いて、基礎壁面上に表側壁板を取付ける方法について述べる。
【００４８】
上記実施形態１の場合と同様に、先ず土台部材５１の取付面５２ａに接着剤を多めに塗布し、この土台部材５１を基礎壁面７１上に押し付ける。このとき上記接着剤３０は取付面５２ａの平面部分１９と基礎壁面７１に挟まれて上記貫通孔５７に向かい、更にこの貫通孔５７を通して基礎壁面７１とは反対の側に溢れ出る。この様にして溢れ出た接着剤（以下、溢出接着剤と称することがある）３０ａは、硬化することにより土台部材５１を引っ掛ける様にしてしっかりと捕まえ、土台部材５１を基礎壁面７１上に強固に固定する。尚、予め上記貫通孔５７付近に接着剤３０を多めに塗布しておくのが良い。
【００４９】
このとき接着剤３０が反基礎壁面側（取付面５２ａとは反対の側）に多く溢れ出ても、上記貫通孔５７を取り囲んで堰５６が設けられているから、溢れ出た接着剤３０ａは雌ネジ１３ａまでには至らない。
【００５０】
次いで基礎壁面７１上に固定された上記土台部材５１に対して、レベル調整材１４を螺合によるレベル調整を行いつつ取付ける。このときレベル調整位置によっては、レベル調整材１４を土台部材５１の枠部１３内深く取り付ける場合もあるが、溢出接着剤３０ａは堰５６の内側に留められているから、堰５６の外縁と雌ネジ１３ａの間に上記レベル調整材１４の下端１４ｂが入ることができ、枠部１３内深くにレベル調整材１４を取り付け得る。即ちレベル調整材１４の窪み部２５の内側に、堰５６に囲まれた貫通孔５７が位置しているから、上述の様に接着剤３０が多少多く溢れ出ても堰き止められてレベル調整材下端１４ｂの位置まで至ることがなく、レベル調整に支障をきたさない。
【００５１】
尚本実施形態２の場合も予め土台部材５１にレベル調整材１４を取付けた状態で、これらを基礎壁面７１に接着しても良い。
【００５２】
その後上記と同様に、表側壁板７２をレベル調整材１４の頭頂部１５に当接しつつ、釘７３を打ち付けることにより表側壁板７２を壁板取付部材５０に取付ける。
【００５３】
本実施形態２では貫通孔５７から溢れ出た接着剤３０ａにより、土台部材５１が基礎壁面７１にしっかりと固定される。従ってたとえ上記壁板取付部材５０の素材が接着剤との親和性に比較的劣るものであっても、上記基礎壁面７１上に表側壁板７２を上記壁板取付部材５０を介して良好に取り付けることができる。
【００５４】
＜実施形態３＞
図９は本発明の実施形態３に係る壁板取付部材１０を示す上方からの斜視図である。尚レベル調整材１４を土台部材１１から離して描いている。また図１０は上記壁板取付部材１０をその土台部材１１の裏面から見た図であり、図１１は図９，１０に示すＡ−Ａ線断面図である。図１２は上記壁板取付部材１０を介在させて基礎壁面７１上に表側壁板７２を取付けた状態を表す断面図である。尚図１〜４，１６と同じ構成部分については同一の符号を付して重複説明を避ける。
【００５５】
壁板取付部材１０も再生ポリプロピレン樹脂製であって、土台部材１１と、この土台部材１１に取付可能なレベル調整材１４とからなり、上記土台部材１１は基台部１２と枠部１３から構成されている。
【００５６】
上記基台部１２は、その取付面（基礎壁面への取付面）１２ａの中央部分に凹み部１６を有する円盤状をしており、この凹み部１６には複数の貫通孔１７が設けられている。またこの凹み部１６に対応した膨らみ部分３８は上記レベル調整材１４の窪み部２５よりも内側の領域に位置し、そしてその外側に上記枠部１３が位置している。レベル調整材１４の頭頂部１５に設けられた溝１５ａは、ドライバー等による操作を可能ならしめる回動用溝である。
【００５７】
次に本実施形態３の壁板取付部材１０を用いて、基礎壁面上に表側壁板を取付ける方法について述べる。
【００５８】
上記と同様に先ず土台部材１１の取付面１２ａに接着剤を多めに塗布し、この土台部材１１を基礎壁面７１上に押し付ける。このとき上記接着剤３０は取付面１２ａの平面部分１９と基礎壁面７１に挟まれて凹み部１６や取付面１２ａの外周縁外に押し出され（外周縁外に押し出された接着剤は図示していない）、そしてこの凹み部１６に集められた接着剤３０は元々凹み部１６の位置に塗布された接着剤３０と共に、更に上記貫通孔１７を通して基礎壁面７１とは反対の側に溢れ出る。この様にして溢れ出た接着剤３０ａは、上記実施形態２と同様に、硬化することにより土台部材１１をしっかりと捕まえ、土台部材１１を基礎壁面７１上に強固に固定する。尚、予め上記凹み部１６の部分に接着剤を多めに塗布しておくのが良い。
【００５９】
次いで上記と同様に基礎壁面７１上に固定された上記土台部材１１に対して、レベル調整材１４を螺合によるレベル調整を行いつつ取付ける。このときレベル調整位置によっては、レベル調整材１４を土台部材１１の枠部１３内深く取り付ける場合もあるが、この場合であっても、レベル調整材１４には窪み部２５が形成されているから、たとえ上記溢れ出た接着剤３０ａが高く盛り上がっていても、この溢出接着剤３０ａは窪み部２５内に収まり、土台部材１１へのレベル調整材１４の取付（レベル調整）が阻害されることがない。
【００６０】
また予め土台部材１１にレベル調整材１４を取付けた状態で、これらを基礎壁面７１に接着しても良く、この場合であっても、レベル調整材１４に窪み部２５が形成されているから、接着剤３０は妨げられることなく貫通孔１７から上記窪み部２５の空間に溢れ出る。
【００６１】
その後上記と同様に、表側壁板７２をレベル調整材１４の頭頂部１５に当接しつつ、釘７３を打ち付けることにより表側壁板７２を壁板取付部材１０に取付ける。
【００６２】
上述の様に凹み部１６の貫通孔１７から溢れ出た接着剤３０ａにより、土台部材１１が基礎壁面７１にしっかりと固定され、上記壁板取付部材１０を介して上記基礎壁面７１上に表側壁板７２を良好に取り付けることができる。
【００６３】
＜実施形態４＞
図１３は本発明の実施形態４に係る壁板取付部材２０を基礎壁面７１に固定した状態を表す断面図である。
【００６４】
この壁板取付部材２０も上記と同様に再生ポリプロピレン樹脂製であり、土台部材２１と、この土台部材２１にレベル調整可能に取り付けられるレベル調整材２４とからなる。
【００６５】
また土台部材２１の基台部２２は円盤状をしており、その外周縁近傍から円筒状の枠部２３が基礎壁面７１とは反対側に突き出している。そしてこの枠部２３の外周壁面に雄ネジ２３ａが形成されている。また上記基台部２２において上記枠部２３よりも内側の領域に凹み部２６が設けられている。そしてこの凹み部２６に貫通孔２７が複数形成されている。
【００６６】
レベル調整材２４は上部２８が閉鎖された円筒状をしており、その内周面に上記雄ネジ２３ａと螺合可能な雌ネジ２４ａが形成されている。
【００６７】
この実施形態４の壁板取付部材２０の使用にあたっては、上記実施形態と同様に、土台部材２１の取付面２１ａに接着剤を塗布し、これを基礎壁面７１に押し付けて上記接着剤３０を貫通孔２７から基礎壁面７１の反対側の面に溢れさせる。そしてこの土台部材２１にレベル調整材２４を、螺合によるレベル調整を行いつつ取り付け、その後表側壁板（図示せず）をレベル調整材２４の上部２８の上面に当接して釘（図示せず）を打ち付けることにより表側壁板を壁板取付部材２０に取付ける。
【００６８】
本実施形態４の壁板取付部材２０においても、凹み部２６の貫通孔２７から溢れ出た接着剤３０ａによって土台部材２１がしっかりと基礎壁面７１に取り付けられる。
【００６９】
以上のように本発明に係る壁板取付部材及びその固定方法に関して、例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００７０】
例えば上記実施形態２〜４では貫通孔を複数設けたものを示したが、貫通孔が１つのものであっても良い。但し貫通孔が複数設けられたものの方が、基礎壁面に対して土台部材がより強力に取り付けられ得る。
【００７１】
また上記土台部材として、貫通孔と突起の両方を凹み部に設けたものとしても良い。
【００７２】
以上の構成により本発明によれば接着剤の接着力のみで壁板取付部材を壁面に強固に固定することができるが、壁板取付部材の脱落をより確実に防止する為、図１４の（ｂ）に示す様に［図１４の（ａ）は本発明に係る壁板取付部材の他の例を示す断面図、（ｂ）はその使用状態を説明する為の断面図］、土台部材４１の基台部４２にビス８２を貫通させて、このビス８２により壁板取付部材を基礎壁面に補強的に締結する様にしても良い。この場合は基台部４２の膨らみ部分４８に反基礎壁面側に突出するガイド部８１を形成し、このガイド部８１より内側部分４８ａを薄肉とするのが良く（図１４（ｂ））、この様に薄肉とすることによってビス８２の打ち込みが容易となる。またガイド部８１によって薄肉内側部分４８ａに、ビス８２を導き易くなる。
【００７３】
【発明の効果】
本発明に係る壁板取付部材及びその固定方法によれば、壁板取付部材の素材としてポリプロピレンや再生樹脂の様に接着剤との親和性に比較的劣るものを使用したとしても、壁板取付部材の土台部材を基礎壁面に強力に取り付けることができる。
【図面の簡単な説明】
【図１】  本発明の実施形態１に係る壁板取付部材を示す上方からの斜視図。
【図２】  本発明の実施形態１に係る壁板取付部材をその土台部材の裏面から見た図。
【図３】  図１，２に示すＢ−Ｂ線断面図。
【図４】  実施形態１に係る壁板取付部材の使用状態を表す断面図。
【図５】  本発明の実施形態２に係る壁板取付部材を示す上方からの斜視図。
【図６】  本発明の実施形態２に係る壁板取付部材をその土台部材の裏面から見た図。
【図７】  図５，６に示すＣ−Ｃ線断面図。
【図８】  実施形態２に係る壁板取付部材の使用状態を表す断面図。
【図９】  本発明の実施形態３に係る壁板取付部材を示す上方からの斜視図。
【図１０】  本発明の実施形態３に係る壁板取付部材をその土台部材の裏面から見た図。
【図１１】  図９，１０に示すＡ−Ａ線断面図。
【図１２】  実施形態３に係る壁板取付部材の使用状態を表す断面図。
【図１３】  本発明の実施形態４に係る壁板取付部材を基礎壁面に固定した状態を表す断面図。
【図１４】  （ａ）は本発明に係る壁板取付部材の他の例を示す断面図、（ｂ）はその使用状態を説明する為の断面図。
【図１５】  従来の壁板取付部材を示す斜視図。
【図１６】  従来の壁板取付部材の使用状態を表す断面図。
【符号の説明】
１０，２０，４０，５０  壁板取付部材
１１，２１，４１，５１  土台部材
１２，４２，５２  基台部
１２ａ，４２ａ，５２ａ  取付面
１３  枠部
１４，２４  レベル調整材
１６，２６，４６  凹み部
１７，２７，５７  貫通孔
２５  窪み部
３０  接着剤
３０ａ  溢出接着剤
４７  突起
４８  膨らみ部分
７１  基礎壁面
７２  表側壁板
７３  釘
【図１】
0003949971.tif 000002
【図２】
0003949971.tif 000003
【図３】
0003949971.tif 000004
【図４】
0003949971.tif 000005
【図５】
0003949971.tif 000006
【図６】
0003949971.tif 000007
【図７】
0003949971.tif 000008
【図８】
0003949971.tif 000009
【図９】
0003949971.tif 000010
【図１０】
0003949971.tif 000011
【図１１】
0003949971.tif 000012
【図１２】
0003949971.tif 000013
【図１３】
0003949971.tif 000014
【図１４】
0003949971.tif 000015
【図１５】
0003949971.tif 000016
【図１６】
0003949971.tif 000017